【事件の表示】
　特願２０００−１０３９１８「パチンコ遊技機における遊技球補助誘導装置」拒絶査定不服審判事件〔平成１３年１０月１６日出願公開、特開２００１−２８６６１７〕について、次のとおり審決する。
【結　論】
　本件審判の請求は、成り立たない。
【理　由】
【１】本願の手続の経緯 
　本願は、平成１２年４月５日の出願であって、平成１４年１２月１９日付けで拒絶理由が通知され、これに対し平成１５年２月１７日付けで手続補正がなされ、平成１５年３月１８日付けで拒絶査定がなされ、これに対し平成１５年４月１７日付けで拒絶査定に対する審判請求がなされ、同年同日付けで手続補正がなされたものである。
　　　　
【２】平成１５年４月１７日付けの手続補正についての補正の却下の決定
［補正の却下の決定の結論］
　平成１５年４月１７日付けの手続補正を却下する。
［理由］
１．補正後の本願発明
　平成１５年４月１７日付けの手続補正により補正された特許請求の範囲の請求項１に係る発明は、その請求項１に記載されたとおりのものであると認められるところ、その請求項１に係る発明（以下、「本願補正発明」という。）は、以下のとおりである。
「【請求項１】遊技盤の遊技領域に配置された特定入賞口の上方に配置され
る遊技球補助誘導装置であって、前記遊技領域に発射された遊技球が入球する一つの入球口と、当該入球口に入球した遊技球を誘導するための複数の球通路と、入球口から入球した遊技球を複数の球通路の何れかに振分けるための固定式の振り分け部と、前記特定入賞口の上方に近接して位置し遊技球を一旦受けたのちその前縁部から落下させるステージ部と、を備えたものにおいて、
　前記複数の球通路は、前記入球口に入球した遊技球を前記ステージ部へ誘導する一つの導出通路部と、入球した遊技球を前記ステージ部へ誘導することなく前記特定入賞口よりも高位置にある外部排出口に誘導して該外部排出口から装置外へ排出する一つの排出通路部と、を備え、
　前記外部排出口は、装置の外方向に遊技球を排出するように装置の外方向に臨ませて設けられていることを特徴とするパチンコ遊技機における遊技球補助誘導装置。」
　　　
２．補正の適否の検討
　本願補正発明に係る補正は、平成１５年２月１７日付けで補正された【請求項１】の「遊技球補助誘導装置」に関して、「入球口から入球した遊技球を複数の球通路の何れかに振分けるための固定式の振り分け部と、」なる記載を付加し、「遊技球補助誘導装置」の構成を限定的に特定するものであって、平成１５年改正前特許法第１７条の２第４項第２号の特許請求の範囲の減縮を目的とするものに該当する。
　そこで、本願補正発明が、特許出願の際独立して特許を受けることができるものであるか（平成１５年改正前特許法第１７条の２第５項の規定において準用する同法第１２６条第４項の規定に適合するか）について以下に検討する。
　　　
３．引用例に記載の発明
（１）原査定の拒絶の理由に引用され、本願の出願日前に頒布された特開２０００−６１０５７号公報（以下、「引用例１」という。）には、図面とともに、以下の事項が記載されている。
（ア）「・・遊技部材１は、合成樹脂製等の複数の部品が組み合わされて形成されている。そして、前方から見ると、幅広の略長方形状であり、中央に開口部３７が設けられており、側方から見ると、前方から後方にかけて略３層構造になっている（以下、前方の部分を前層部分ａといい、中央の部分を中層部分ｂといい、後方の部分を後層部分ｃという）。」（段落【０００７】）
（イ）「前層部分ａは、横長で若干上向きに凸状の水平部２の上面から入賞部３が上方に突出した形状を有している。入賞部３は、内部が中空状になっており、上側には入賞口４が設けられており、両サイドには、それぞれ、飛込口５，５が設けられている。なお、入賞部３の内部において、２つの飛込口５，５は連通しているが、入賞口４は、それらの飛込口５，５とは連通していない。また、入賞部３内部の水平部２上面の略中央には、導球部６が浅い球面状に刻設されている（図５参照）。さらに、水平部２前面の略中央には表示窓７が穿設されており、その内部には小型表示装置８が内蔵されている。」（段落【０００８】）
（ウ）「一方、中層部分ｂは、上側および両サイドに第１中空路９が形成されている。第１中空路９は、上側の部分が前層部分ａの輪郭と略合致しており、中央から両端にかけて下向きに傾斜している。そして、第１中空路９の中央下側の壁面は、屋根形状の第１振分部１０になっており、その屋根の稜線は導球部６の中心線と一致している。」（段落【０００９】）
（エ）「また、中層部分ｂの第１中空路９の両サイドの下端縁同士は、平板状の第１ステージ１１によって繋がれた状態になっている（以下、第１中空路９と第１ステージ１１とを合わせて第１通路という）。第１ステージ１１は、中央部分が僅かに低く形成されており、最も低い位置が浅く球面状に刻設されて第１排出部１２になっている。さらに、第１ステージ１１の前端縁には、第１ガード１３が垂設されており、その第１ガード１３の中央部分（すなわち、第１排出部１２の前方）には、第１排出口１４が緩い曲率半径の円弧状に刻設されている。なお、中層部分ｂの最上部には、第１案内体１５が設けられており、中層部分ｂの前面上方に穿設された通過孔３８を介して、前層部分ａの入賞部３の入賞口４と連通した状態になっている。加えて、中層部分ｂの前面の上方および下方には、それぞれ２つずつ取付板１６，１６・・が延設されており、それらの取付板１６，１６・・には、それぞれネジ挿通孔１７が穿設されている。」（段落【００１０】）
（オ）「後層部分ｃも中層部分ｂと同様に、上側および両サイドに第２中空路１８が形成されており、上側の部分は、中央から両端にかけて下向きに傾斜している。そして、第２中空路１８の中央下側の壁面は、屋根形状を有する第２振分部１９になっており、その屋根の稜線は、導球部６の中心線および第１振分部１０の稜線と一致している。」（段落【００１１】）
（カ）「後層部分ｃの第２中空路１８の両サイドの下端縁同士は、平板状の第２ステージ２０によって繋がれた状態になっている（以下、第２中空路１８と第２ステージ２０とを合わせて第２通路という）。第２ステージ２０は、第１ステージ１１と同様に、中央が僅かに低くなっており、最も低い位置が浅く球面状に刻設されて第２排出部２１になっている。その第２排出部２１は、遊技球略１個程度の幅に形成されており、第１排出部１２の幅よりも狭くなっている。さらに、第２ステージ２０の前端縁には、第２ガード２２が垂設されており、その第２ガード２２の中央部分（すなわち、第２排出部２１の前方）には、第２排出部２１の幅よりも僅かに狭幅な第２排出口２３が設けられている。なお、第２ステージ２０の方が第１ステージ１１よりも高くなっており、第１排出口１４の中心線の位置は、第２排出口２３の中心線の位置と一致している。また、後層部分ｃの最上部にも、第２案内体２４が設けられており、前層部分ａの入賞部３の入賞口４および中層部分ｂの第１案内体１５と連通した状態になっている。」（段落【００１２】）
（キ）「遊技部材１が設置されたパチンコ機の一例を図６に示す。パチンコ機３４の中央上部には、略円形を有する遊技領域２５が設けられており、その遊技領域２５の略中央には、遊技部材１が設置されている。なお、パチンコ機３４は、遊技領域２５の下方に突設された発射ハンドル３５を回動操作することによって、上皿３６内の遊技球を遊技領域２５に打ち込むことができるようになっている。」（段落【００１３】）
（ク）「遊技部材１は、取付板１６，１６・・の裏面を遊技盤面に当接させた状態でネジ孔１７，１７・・の部分が螺着されることによって、遊技領域２５に設置されている。また、遊技部材１の中央の開口部３７には、液晶画面からなる特別図柄表示部２６が設置されており、遊技部材１の第１排出口１４の下方には、図柄始動口である普通電動役物２７が設置されている。さらに、普通電動役物２７の下側には、大入賞口２８が設けられており、その大入賞口２８の下側には、普通図柄表示部２９が設けられている。一方、遊技部材１の両サイドには、普通図柄始動ゲート３０，３０が設けられている。」（段落【００１４】）
（ケ）「上記の如く構成されたパチンコ機３４においては、遊技領域２５に打ち込まれた遊技球が、前層部分ａの入賞部３の飛込口５，５から入賞部３内に飛び込むと、飛び込んだ遊技球の内の一部が、導球部６上まで遡る。導球部６上まで遡った遊技球は、中層部分ｂの前面に穿設された第１通過口３１を通って、中層部分ｂの第１振分部１０上へ導かれ、第１中空路９の左右何れかのサイドに振り分けられる。なお、第１振分部１０は、屋根形状をしているとともに、その屋根の稜線が導球部６の中心線と一致しているので、第１振分部１０上まで導かれた遊技球は、第１中空路９の左サイドおよび右サイドに略同じ確率で振り分けられる。そして、第１中空路９の左右何れかのサイドに振り分けられた遊技球は、第１中空路９内を通って、第１ステージ１１へと現出し、第１ステージ１１上を左右に揺動した後、第１排出部１２から第１排出口１４を通って遊技部材１の外部へと排出される。」（段落【００１５】）
（コ）「一方、中層部分ｂの第１振分部１０上へ導かれた遊技球が、第１振分部１０の屋根の稜線付近を転動し、後層部分ｃの前面に穿設された第２通過口３２を通って後層部分ｃの第２振分部１９上へ導かれる場合もある（なお、パチンコ機３４は、導球部６上の遊技球を第１中空路９の左右何れかのサイドに振り分ける確率の方が、第２振分部１９上へ導く確率よりも大きくなるように設計されている）。第２振分部１９上へ導かれた遊技球は、第２中空路１８の左右何れかのサイドに振り分けられる。第２振分部１９は、第１振分部１０と同様に屋根形状をしているとともに、その屋根の稜線が第１振分部１０の屋根の稜線と一致しているので、第２振分部１９上まで導かれた遊技球は、第２中空路１８の左サイドおよび右サイドに略同じ確率で振り分けられる。そして、第２中空路１８の左右何れかのサイドに振り分けられた遊技球は、第２中空路１８内を通って、第２ステージ２０へと現出し、第２ステージ２０上を左右に揺動した後、第２排出部２１から第２排出口２３を通って下側に位置した第１排出部１２へと流下する。しかる後、第１排出口１４を通って遊技部材１の外部へと排出される。」（段落【００１６】）
（サ）「第１排出部１２から排出された遊技球は、第１排出部１２の下側に設置された特別図柄始動口３３に向かって流下し、その内の一部が、特別図柄始動口３３の上方に立設された障害釘の間を通過して、特別図柄始動口３３に入賞する。なお、第１排出部１２は幅広で浅い球面状に形成されているため、第１ステージ１１上を揺動した後に第１排出部１２から排出された遊技球は、さほど高い確率で特別図柄始動口３３に入賞しない。しかしながら、第２排出部２１および第２排出口２３は、遊技球略１個分の幅に形成されており、第２排出口２３を通過した遊技球は、第１排出部１２上の略中心を通過して排出されるため、きわめて高い確率で特別図柄始動口３３に入賞する。また、遊技部材１内を通過しなかった遊技球も、低い確率ではあるが特別図柄始動口３３に入賞する」（段落【００１７】）
（シ）「たとえば、飛込口は２つに限定されるものではなく、１つであっても良いし、逆に３つや４つであっても良い。また、表示窓、小型表示装置は、必ずしも必要ではなく、場合によっては省略することもできる。さらに、第２ステージ上の遊技球が第２排出口と第１排出口とを通って遊技部材の外部に排出される構造とせず、第１排出口と第２排出口とを完全に独立させても良い。加えて、各通路にステージを設けず、各通路を中空路のみから形成することも可能である。」（段落【００２５】）
　
　上記記載事項（ア）乃至（シ）の記載及び図面からみて、引用例１には以下の発明（以下、「引用発明１」という。）が記載されていると認められる。
　　　　
＜引用発明１＞
「遊技盤面の遊技領域２５に設置された遊技部材１は、前方から後方にかけて前層部分ａ、中層部分ｂ、後層部分ｃの略３層構造になっており、前層部分ａは、上側に入賞口４が設けられ、中層部分ｂは、上側および両サイドに第１中空路９が形成され、第１中空路９の中央下側の壁面が第１振分部１０になっており、第１中空路９の両サイドの下端縁同士が平板状の第１ステージ１１によって繋がれ、後層部分ｃは、上側および両サイドに第２中空路１８が形成され、中央下側の壁面が第２振分部１９になっており、第２中空路１８の両サイドの下端縁同士が平板状の第２ステージ２０によって繋がれ、第１ステージ１１の中央部に球面状に刻設された第１排出部１２を、第２ステージ２０の中央に第１排出部１２の幅よりも狭い第２排出部２１を備えた遊技部材１であって、遊技領域２５に打ち込まれた遊技球が、入賞口４に入賞すると、中層部分ｂの前面に穿設された第１通過口３１を通って、中層部分ｂの第１振分部１０で第１中空路９の左サイドおよび右サイドに振り分けられ、振り分けられた遊技球は、第１中空路９内を通って、第１ステージ１１へと現出し、一方、後層部分ｃの前面に穿設された第２通過口３２を通って後層部分ｃの第２振分部１９上へ導かれる場合もあり、第２振分部１９で第２中空路１８の左サイドおよび右サイドに振り分けられた遊技球は、第２中空路１８内を通って、第２ステージ２０へと現出し、第１ステージ１１の第１排出部１２から排出された遊技球は、さほど高い確率で特別図柄始動口３３に入賞しないが、第２ステージの第２排出部を通過した遊技球は、きわめて高い確率で特別図柄始動口３３に入賞するパチンコ機における遊技部材。」
　　　　　
（２）原査定の拒絶の理由に引用され、本願の出願日前に頒布された特開２０００−３７５２４号公報（以下、「引用例２」という。）には、図面とともに、以下の事項が記載されている。
（ス）「次に、他の実施形態として、本遊技盤１に上記第１種始動口６ａを形成する変動入賞装置６および上記センター役物２０とはそれぞれ異なる形態の第１種始動口６０ａ形成入賞装置６０およびセンター役物５０を取り付けた場合について説明する。図８に示すように、本実施形態に係るセンター役物５０は、上記センター役物２０と同様、本発明に係る図柄表示装置として機能し得る装置である。すなわち、本センター役物５０は特別図柄を表示・変動する液晶ディスプレイ５１を備えており、さらにワープ機構を備えた役物である。而して、液晶ディスプレイ５１を包囲するように形成された本体部５０ａは所定の形状に予め成形された合成樹脂製であり、遊技盤１の中央部に設けられた取付け開口部（図示せず）にビスｖによって取り付けられている。この本体部５０ａの液晶ディスプレイ５１の上方には、遊技盤１面上を流下する遊技球Ｂを受け止め得る上棚板５０ｂが形成されている。図示するように、この上棚板５０ｂは中央部から左右両端方向に下がり傾斜が形成されており、結果、この上棚板５０ｂに受け止められた遊技球Ｂは通常左右両端方向に振り分けられてしまう。一方、上棚板５０ｂの中央部には、本体部５０ａの背面側に形成された図示しない球通路に連通するワープ入口５２が形成されている。」（段落【００４７】）
（セ）「また、上棚板５０ｂのワープ入口５２の両サイドには図示しないソレノイドに連結された恰好で、上記遊技球誘導手段を具現化した左右一対の可動片５４ａ，５４ｂが備えられている。これら可動片５４ａ，５４ｂは通常時には上棚板５０ｂと一体となるように当該上棚板５０ｂ表面部に収納される一方で、後述するように、所定の時期には図８に示すように両端部が持ち上げられるように構成されている。而して、これら可動片５４ａ，５４ｂが持ち上げられた際にはその傾斜方向が収納時とは逆になり、可動片５４ａ，５４ｂの両端から中央（即ちワープ入口５２）に向けて下がり傾斜が形成される。従って、可動片５４ａ，５４ｂが持ち上がった際には、当該可動片５４ａ，５４ｂがワープ入口５２についての球寄せ片として機能し、当該可動片５４ａ，５４ｂに当接した遊技球Ｂをワープ入口５２に誘導することができる。」（段落【００４８】）
（ソ）「一方、ワープ入口５２に連通する球通路を通行した遊技球Ｂは、本センター役物５０の裏面側を通って液晶ディスプレイ５１の両サイドに設けられたワープ出口５５ａ，５５ｂから再びセンター役物５０の表面側に送り出される。ここで、上記センター役物２０と同様、液晶ディスプレイ５１の下方部には、下棚板５７が形成されており、両端から中央に向けて下がり傾斜が形成されている。このため、上記ワープ出口５５ａ，５５ｂから出た遊技球Ｂはそのまま下棚板５７上を転動し、その中央部に設けられた放出部５８から流下する。」
（タ）【図１】及び【図８】からみて、センター役物は第１種始動口よりも高位置に設けられ、従って、上棚板５０ｂに受け止められた遊技球Ｂは通常左右両端方向に振り分けられ、センター役物外へ第１種始動口よりも高位置で放出されている。
　
　上記記載事項（ス）乃至（タ）の記載及び図面からみて、引用例２には以下の発明（以下、「引用発明２」という。）が記載されていると認められる。
　　　　　
＜引用発明２＞
「センター役物５０はワープ機構を備えた役物で、第１種始動口より高位置に設けられ、本体部５０ａの上方には、遊技盤１面上を流下する遊技球Ｂを受け止め得る上棚板５０ｂが形成され、上棚板５０ｂは中央部から左右両端方向に下がり傾斜が形成されており、上棚板５０ｂの中央部にワープ入口５２が形成され、上棚板５０ｂのワープ入口５２の両サイドには左右一対の可動片５４ａ，５４ｂが備えており、センター役物の可動片５４ａ，５４ｂは、通常時には上棚板５０ｂと一体となるように上棚板５０ｂ表面部に収納され、上棚板５０ｂに受け止められた遊技球Ｂは通常左右両端方向に振り分けられ、センター役物外ヘ第１種始動口よりも高位置で放出される一方、所定の時期には可動片５４ａ，５４ｂの両端部が持ち上げられワープ入口５２に向けて下がり傾斜が形成され、ワープ入口５２についての球寄せ片として機能し、当該可動片５４ａ，５４ｂに当接した遊技球Ｂをワープ入口５２に誘導し、ワープ出口５５ａ，５５ｂから出た遊技球Ｂはそのまま下棚板５７上へ転動するセンター役物。」
　　　　　　
４．対比
　本願補正発明と引用発明１との対比
　本願補正発明と引用発明１とを対比すると、引用発明１の「遊技盤面の遊技領域２５に設置された」が本願補正発明の「遊技盤の遊技領域に配置された」に相当し、以下同様に「特別図柄始動口３３」が「特定入賞口」に、「遊技部材１」が「遊技球補助誘導装置」に、「遊技領域２５に打ち込まれた」が「遊技領域に発射された」に、「遊技球」が「遊技球」に、「入賞口４」が「一つの入球口」に、「パチンコ機」が「パチンコ遊技機」にそれぞれ相当している。
　また、引用発明１の「遊技球補助誘導装置」は、上記記載事項（ク）によれば、普通電動役物２７の特定入賞口（特別図柄始動口３３）の上方に位置するから、本願補正発明と同様に「特定入賞口の上方に配置される遊技球補助誘導装置」を構成している。
　そして、本願補正発明の「複数の球通路」に関して、引用例１の上記記載事項項（ウ）「中層部分ｂ・・上側および両サイドに第１中空路９が形成され・・」、同じく記載事項（オ）「後層部分ｃ・・上側および両サイドに第２中空路１８が形成され・・」、同じく記載事項（ケ）「遊技領域２５に打ち込まれた遊技球が、・・入賞部３内に飛び込むと、・・第１通過口３１を通って、中層部分ｂ・・へ導かれ、第１中空路９の左右何れかのサイドに振り分けられる。・・」、同じく記載事項（コ）「一方、・・第２通過口３２を通って後層部分ｃの第２振分部１９上へ導かれる場合もある・・第２中空路１８の左サイドおよび右サイドに・・振り分けられ・・」なる記載に基づけば、引用発明１の「第１中空路９」及び「第２中空路１８」が、本願補正発明の「複数の球通路」を構成しており、これらは、入賞部３に入球した遊技球を誘導するものであるから、本願補正発明と同様に「入球口に入球した遊技球を誘導するための複数の球通路」として機能している。
　また、本願補正発明の「ステージ部」に関して、引用例１の上記記載事項（カ）「後層部分ｃの第２中空路１８の両サイドの下端縁同士は、平板状の第２ステージ２０によって繋がれた状態になっている・・」、同じく記載事項（コ）「・・遊技球は、第２中空路１８内を通って、第２ステージ２０へと現出し、・・」なる記載に基づけば、引用発明１の「第２ステージ２０」が、本願補正発明の「ステージ部」に相当しており、また、引用発明１の「第２ステージ部２０」は、上記記載事項（コ）「遊技球は、第２ステージ２０上を左右に揺動した後、・・下側に位置した第１排出部１２へと流下する。・・」、同じく記載事項（サ）「第１排出部１２から排出された遊技球は、・・下側に設置された特別図柄始動口３３に向かって流下し、・・」なる記載及び【図６】からみて、特定入賞口（特別図柄始動口３３）の上方に近接して位置しており、遊技球を一旦受けたのちその前縁部から遊技球を落下させるものと解するから、本願補正発明と同様に「特定入賞口の上方に近接して位置し遊技球を一旦受けたのちその前縁部から落下させるステージ部」を構成するものといえる。
　そして、上記摘記のとおり複数の球通路を構成している引用発明１の「第２中空路１８」は、上記記載事項（カ）、（コ）の記載に基づけば、入賞部３に入球した遊技球をステージ部（第２ステージ部）へ誘導する一つの導出通路部として機能すると解されるから、本願補正発明と同様に「複数の球通路は、入球口に入球した遊技球をステージ部へ誘導する一つの導出通路部」として機能するものといえる。
　また、本願補正発明の「振り分け部」に関して、引用例１の上記記載事項（ケ）「・・遊技球が、・・入賞部３内に飛び込むと、・・第１振分部１０上へ導かれ、第１中空路９の左右何れかのサイドに振り分けられ」、同じく記載事項（コ）「中層部分ｂの第１振分部１０上へ導かれた遊技球が、第１振分部１０の屋根の稜線付近を転動し、・・後層部分ｃ・・へ導かれる場合もある・・第２中空路１８の左サイドおよび右サイドに・・振り分けられ・・」なる記載及び【図５】からみて、入賞部に入球した遊技球は、第１振り分け部により第１中空路９或いは第２中空路１８の何れかに振り分けられており、且つ、該第１振り分け部が固定式であることは自明であるから、引用発明１の「第１振り分け部」が本願補正発明の「振り分け部」に相当しており、本願補正発明と同様に「入球口から入球した遊技球を複数の球通路の何れかに振分けるための固定式の振り分け部」として機能するものといえる。
　　　
してみると、引用発明１と本願補正発明とは、
　　　　　
「遊技盤の遊技領域に配置された特定入賞口の上方に配置される遊技球補助誘導装置であって、前記遊技領域に発射された遊技球が入球する一つの入球口と、当該入球口に入球した遊技球を誘導するための複数の球通路と、入球口から入球した遊技球を複数の球通路の何れかに振分けるための固定式の振り分け部と、前記特定入賞口の上方に近接して位置し遊技球を一旦受けたのちその前縁部から落下させるステージ部と、を備えたものにおいて、
　前記複数の球通路は、前記入球口に入球した遊技球を前記ステージ部へ誘導する一つの導出通路部を備えたパチンコ遊技機における遊技球補助誘導装置。」
　　　　　
　である点で一致し、以下の点で相違する。
　　　　　
＜相違点＞
　遊技球補助誘導装置に設けられた複数の球通路は、本願補正発明においては、遊技球を特定入賞口よりも高位置で遊技球補助誘導装置の外方向に臨ませた外部排出口に誘導して装置外へ排出する一つの排出通路部を備えているのに対し、引用発明１においては、複数の球通路には上記の排出通路部自体を備えていない点。
　　　　　　
５．相違点についての検討
＜相違点＞について
　遊技球を特定入賞口よりも高位置で遊技球補助誘導装置の外方向に臨ませた外部排出口に誘導して装置外へ排出する一つの排出通路部に関して、遊技球をセンター役物（遊技球補助誘導装置）の可動片５４ａ，５４ｂで振分けて、下棚板（ステージ部）へ誘導したり、センター役物（遊技球補助誘導装置）の上棚板５０ｂの左右両端方向に誘導して第１種始動口（特定入賞口）よりも高位置で排出させることが、引用発明２に記載されており、上棚板５０ｂが本願補正発明の排出通路部と同じ機能を備えるものといえる。
　また、固定式の振分部材（振り分け部）で振分けられた遊技球を誘導する複数の球通路を備えたパチンコ機分野において、振分けられた遊技球を装置外に誘導する通路及び排出口を備えることは、例えば、特開平８−１０４１１号公報（段落【００１６】〜【００１８】参照）や特開平８−１９６７２０号公報（段落【００１６】〜【００１８】参照）にも記載されているように、従来周知の技術といえる。
　そして、引用発明１、２及び上記周知技術は、振り分け部が、固定式・可動式を問わず遊技球を振分けて各遊技球通路に誘導させる点で技術が共通しており、また、引用例１の上記記載事項（シ）「・・各通路にステージを設けず、各通路を中空路のみから形成することも可能である。」、及び同記載事項（サ）「第１排出部１２から排出された遊技球は、・・さほど高い確率で特別図柄始動口３３に入賞しない。・・」なる記載より、引用発明１は、本願補正発明と同様に振分け先の通路の違いにより、特定入賞口への入賞確率が異なっており、且つ、通路にはステージを設けない構成とすることも示唆しているから、上記のような球通路の構成の変更を示唆する引用発明１の複数の球通路の一つに、排出位置として、遊技球補助誘導装置の外側に誘導して特定入賞口よりも高位置で排出させる引用発明２を、遊技球を誘導する通路及び排出口の構成として、振分けられた遊技球を装置外に誘導する通路及び排出口を備えた上記周知技術を各々適用し、遊技球を特定入賞口よりも高位置で遊技球補助誘導装置の外方向に臨ませた外部排出口に誘導して装置外へ排出する一つの排出通路部を備えさせること、即ち、本願補正発明に係る相違点を構成することは、当業者であれば容易に想到し得たことである。　　　　　
６．作用効果・判断
  そして、本願補正発明における作用効果は、引用発明１、２及び上記周知技術に基づいて当業者が当然予測できるものである。
　したがって、本願補正発明は、引用発明１、２及び周知技術に基づいて当業者が容易に発明をすることができたものであるから、特許法第２９条第２項の規定により特許を受けることができない。
　　　　　
７．むすび
　以上のとおり、本願補正発明は、平成１５年改正前特許法第１７条の２第５項の規定において準用する同法第１２６条第４項の規定に違反するものであり、特許法第１５９条第１項の規定において読み替えて準用する同法第５３条第１項の規定によって却下されるべきものである。
　よって、上記「補正の却下の決定の結論」のとおり決定する。
　　　　　
【３】本願発明について
１．本願発明
　平成１５年４月１７日付けの手続補正は上記のとおり却下されたので、本願の特許請求の範囲の請求項１に係る発明（以下、「本願発明」という。）は、平成１５年２月１７日付けの手続補正書の明細書及び図面の記載からみて、以下のとおりである。
「【請求項１】遊技盤の遊技領域に配置された特定入賞口の上方に配置され
る遊技球補助誘導装置であって、前記遊技領域に発射された遊技球が入球する一つの入球口と、当該入球口に入球した遊技球を誘導するための複数の球通路と、前記特定入賞口の上方に近接して位置し遊技球を一旦受けたのちその前縁部から落下させるステージ部と、を備えたものにおいて、
　前記複数の球通路は、前記入球口に入球した遊技球を前記ステージ部へ誘導する一つの導出通路部と、入球した遊技球を前記ステージ部へ誘導することなく前記特定入賞口よりも高位置にある外部排出口に誘導して該外部排出口から装置外へ排出する一つの排出通路部と、を備え、
　前記外部排出口は、装置の外方向に遊技球を排出するように装置の外方向に臨ませて設けられていることを特徴とするパチンコ遊技機における遊技球補助誘導装置。」
　　　　
２．引用例に記載された発明
　原査定の拒絶の理由に引用された引用例１、２の記載事項は、前記【２】３．に摘記したとおりである。
　　　　
３．対比・判断
　本願発明は、本願補正発明から前記【２】２．で検討した限定事項を省いたものである。
　そうすると、本願発明の構成要件を全て含み、さらに、上記限定事項を付加したものに相当する本願補正発明が、前記【２】５．で検討したとおり、引用発明１、２及び周知技術に基づいて、当業者が容易に発明をすることができたものであるから、本願発明も同様の理由により、引用発明１、２及び周知技術に基づいて、当業者が容易に発明をすることができたものである。
　　　　
４．むすび
　以上のとおり、本願発明は、引用発明１、２及び周知技術に基づいて、当業者が容易に発明をすることができたものであり、特許法第２９条第２項の規定により特許を受けることができないものであり、本願の他の請求項について検討するまでもなく、本願は拒絶すべきものである。
　よって、結論のとおり審決する。